(57)【特許請求の範囲】
【請求項１】
電話回線を介してデータ通信可能であり、後位に端末が接続されると共に、発信側の電話番号を受信側に通知する発信電話番号通知サービスに対応したデータ通信装置において、
後位の端末と前記電話回線とを切断した状態にし、前記発信電話番号通知サービス下において、発信電話番号の情報に先立って交換機から送出される起動信号を検出したとき、一次応答信号を送出し、前記起動信号の後に送出される発信電話番号の情報の受信完了後に受信完了信号を送出し、次に電話回線を介して受信されたデータから呼出し信号を検出したとき、後位の端末を電話回線に接続する制御手段を備えたことを特徴とするデータ通信装置。
【請求項２】
前記制御手段は、発信電話番号の情報に先立って交換機から送出される起動信号を検出したとき、発呼不可を発呼者に知らせる発呼不可通知処理を開始して、一次応答信号を送出し、前記起動信号の後に送出される発信電話番号の情報の受信完了後に受信完了信号を送出し、次に電話回線を介して受信されたデータから呼出し信号を検出したとき、前記発呼不可通知処理を停止して、後位の端末を電話回線に接続する請求項１に記載のデータ通信装置。
【請求項３】
電話回線を介してデータ通信可能であり、後位に端末が接続されると共に、発信側の電話番号を受信側に通知する発信電話番号通知サービスに対応したデータ通信装置において、  
電話回線を介して受信された受信データが前記データ通信装置及び後位の端末のいずれかで処理されるように受信データの入力経路を切り替え可能な第１の切替手段と、  
前記第１の切替手段の後位に接続され、該第１の切替手段を介して送られてきた受信データが後位の端末に入力されるか否かを切り替え可能な第２の切替手段と、  
電話回線を介して受信されたデータから呼出し信号を検出する第１の信号検出手段と、  
前記発信電話番号通知サービス下において発信電話番号の情報に先立って交換機から送出される起動信号を検出する第２の信号検出手段と、  
前記発信電話番号通知サービス下において、受信データが後位の端末に入力されないように前記第２の切替手段を切り替え、前記起動信号が検出されたとき前記１の切替手段をデータ通信装置側に切り替えて一次応答信号を送出し、前記起動信号の後に送出される発信電話番号の情報の受信完了後に前記第１の切替手段を後位の端末側に切り替えて受信完了信号を送出し、次に前記呼出し信号が検出されたとき、受信データが後位の端末に入力されるように前記第２の切替手段を切り替える制御手段と、  
を備えたことを特徴とするデータ通信装置。
【請求項４】
電話回線を介してデータ通信可能であり、後位に端末が接続されると共に、発信側の電話番号を受信側に通知する発信電話番号通知サービスに対応したデータ通信装置において、  
電話回線を介して受信された受信データが前記データ通信装置及び後位の端末のいずれかで処理されるように受信データの入力経路を切り替え可能な第１の切替手段と、  
前記第１の切替手段の後位に接続され、該第１の切替手段を介して送られてきた受信データが後位の端末に入力されるか否かを切り替え可能な第２の切替手段と、  
電話回線を介して受信されたデータから呼出し信号を検出する第１の信号検出手段と、  
前記発信電話番号通知サービス下において発信電話番号の情報に先立って交換機から送出される起動信号を検出する第２の信号検出手段と、  
後位の端末を呼び出し可能な呼出し手段と、  
後位の端末がフックオフされたか否かを検出するフック検出手段と、  
前記発信電話番号通知サービス下において、受信データが後位の端末に入力されないように前記第２の切替手段を切り替え、前記起動信号が検出されたとき前記１の切替手段をデータ通信装置側に切り替えて一次応答信号を送出し、前記起動信号の後に送出される発信電話番号の情報の受信完了後に前記第１の切替手段を後位の端末側に切り替えて受信完了信号を送出し、次に前記呼出し信号が検出されたとき前記呼出し手段により後位の端末を呼出し、呼出し中に後位の端末のフックオフが検出されたとき受信データが後位の端末に入力されるように前記第２の切替手段を切り替える制御手段と、  
を備えたことを特徴とするデータ通信装置。
【請求項５】
受信された前記発信電話番号の情報を後位の端末用の信号に変換して後位の端末に出力する出力手段と、  
をさらに備え、  
前記制御手段は、後位の端末のフックオフが検出された後、受信データが後位の端末に入力されるように前記第２の切替手段が切り替えられる前に、前記発信電話番号の情報を前記出力手段により後位の端末に出力させることを特徴とする請求項４のデータ通信装置。  
【請求項６】
指定された時刻を始点として後位の端末がフックオフされている間のフックオフ時間を計測する計測手段と、をさらに備え、  
前記制御手段は、前記発信電話番号の情報を前記出力手段により後位の端末に出力させた後、前記計測手段により、該情報の出力完了時を始点としてフックオフ時間を計測させ、該フックオフ時間が一定時間を越えたときのみ受信データが後位の端末に入力されるように前記第２の切替手段を切り替えることを特徴とする請求項５のデータ通信装置。
【請求項７】
前記起動信号が検出されてから前記呼出し信号が検出されるまでの間、後位の端末からの発呼が不可能であることを音で通知若しくは画面に表示する通知手段と、  
をさらに備えたことを特徴とする請求項３乃至請求項６のいずれか１項のデータ通信装置。  
【請求項８】
前記起動信号が検出されてから前記呼出し信号が検出されるまでの間に後位の端末がフックオフされたとき、話中音を発生させるための信号を後位の端末に出力する話中音発生手段と、  
をさらに備えたことを特徴とする請求項３乃至請求項６のいずれか１項のデータ通信装置。  
【請求項９】
前記起動信号が検出されてから前記呼出し信号が検出されるまでの間に、前記データ通信装置でフックオフの操作がなされた場合、該フックオフの操作に対応した処理を禁止する禁止手段と、  
をさらに備えたことを特徴とする請求項３乃至請求項８のいずれか１項のデータ通信装置。
【請求項１０】
電話回線を介してデータ通信可能であり、後位に端末が接続されると共に、発信側の電話番号を受信側に通知する発信電話番号通知サービスに対応したデータ通信装置において、
後位の端末と前記電話回線とを切断した状態にし、前記発信電話番号通知サービス下において、発信電話番号の情報に先立って交換機から送出される起動信号を検出したとき、一次応答信号を送出し、前記起動信号の後に送出される発信電話番号の情報の受信完了後に受信完了信号を送出し、次に電話回線を介して受信されたデータから呼出し信号を検出したとき、後位の端末を電話回線に接続することを特徴とするデータ通信方法。
【発明の詳細な説明】
【０００１】
【発明の属する技術分野】
本発明は、電話回線を介してデータの通信を行うデータ通信装置に係り、特に、発呼側の電話番号を通知するサービス下で、後位に通信端末を接続した場合に生じる発着呼の衝突を回避したデータ通信装置に関する。
【０００２】
【従来の技術】
従来より、電話交換局の交換機から発呼側の電話番号（発信電話番号）を表すデータを受話側の電話機に通知するサービス（以下「発信電話番号通知サービス」という）が検討され、本格的に実施されようとしている。
【０００３】
そして、この発信電話番号通知サービスに対応することを目的として、以下のような技術が提案されている。
【０００４】
特開平４−３３４２４５号公報には、電話端末へ着信する度に発呼者の電話番号を順次格納すると共にディスプレイに表示させ、表示させた発信電話番号の中でオペレータにより指定された電話番号を読み出し発信する技術が開示されている。
【０００５】
また、特開平５−３４７６５９号公報には、電話回線を介して交換機から入力されるリング信号及び発信電話番号を検出し、受話側端末がリング信号に応答したか否かの別に応じて発信電話番号を区別して表示させる技術が開示されている。この技術によれば、応答していない再発呼すべき発信電話番号が直ちに判定できるという利点がある。
【０００６】
いずれの技術も、それらの機能は主に受信した発信電話番号を表示したり、記憶して再発呼に利用する点が特徴的である。
【０００７】
ここで、発信電話番号通知サービスにおける交換機と受信側端末（電話端末、ファクシミリ装置等）との接続動作の流れを図８を用いて説明する。なお、図８の接続動作の流れと共に、この接続動作に対応した発信電話番号通知サービスの通信シーケンスを図９に示しておく。
【０００８】
交換機７４と受信側端末７６は、Ｌ１信号（電池）及びＬ２信号（情報）を通過させる信号線で結合されており、図８（ａ）に示すように、発呼者からの発呼が無い状態（監視状態）では、Ｌ１が＋、Ｌ２信号が−の極性に保持されている。
【０００９】
発信者からデータ通信装置７６へ発呼があると、交換機７４は、監視状態（図８（ａ））でのＬ１、Ｌ２信号の極性（Ｌ１（＋）、Ｌ２（−））を反転させてＬ１（−）、Ｌ２（＋）とし、極性反転から一定時間以上経過後にＩＤ受信端末起動信号（ＣＡＲ信号）を受信側端末７６へ送出する（図８（ｂ））。このＣＡＲ信号によって、受信側端末は、この後に交換機７４から発信者電話番号等の情報が転送されてくることを知る。
【００１０】
ＣＡＲ信号の電気的条件は、以下の通りとなる。
周波数    ：  １５Ｈｚ以上２０Ｈｚ以下
送出電力  ：  交流７５Ｖｒｍｓ
キャダンス：  ０．５秒ＯＮ、ＯＦＦの繰り返し
次に、ＣＡＲ信号を受信すると、受信側端末７６はＣＡＲ信号を受信したことを知らせる１次応答信号を交換機７４へ送る（図８（ｃ））。この１次応答信号の送出は、受信側端末がＬ１−Ｌ２間のループを形成することによってなされる。なお、Ｌ１−Ｌ２間のループの形成は、受信側端末の受話器を持ち上げるフックオフ（Hook-off）の動作に対応している。
【００１１】
受信側端末がフックオフによりＣＡＲ信号の受信を知らせると、交換機７４は、発呼者番号を含む発信電話情報をいわゆるＩＴＵ−Ｔ勧告Ｖ．２３に準拠したモデム信号で受信側端末に送出する（図８（ｄ））。
【００１２】
次に、受信側端末は、発信電話情報を受信完了すると、Ｌ１−Ｌ２間のループを切断することにより受信完了信号を交換機７４に送る（図８（ｅ））。なお、１１−Ｌ２間のループの切断は、受信側端末の受話器を本体に置くフックオン（Hook-on ）の動作に対応している。
【００１３】
交換機７４は、受信側端末７６からの受信完了信号（フックオン）を検出すると、呼出し信号（ＩＲ信号）を送出する（図８（ｇ））。ＩＲ信号は、通常の呼出し信号と全く同一の信号であり、その電気的条件は以下の通りとなる。
【００１４】
周波数    ：  １５Ｈｚ以上２０Ｈｚ以下
送出電力  ：  交流７５Ｖｒｍｓ
キャダンス：  １秒ＯＮ、２秒ＯＦＦの繰り返し
すなわち、ＩＲ信号とＣＡＲ信号とは、繰り返される信号ＯＮ、ＯＦＦのパターン（キャダンス）において、ＯＮとされる時間とＯＦＦとされる時間が異なるが、周波数及び送出電力が同じ信号である。なお、以下では、ＩＲ信号及びＣＡＲ信号の総称を１６Ｈｚ信号という。
【００１５】
受信側端末７６は、ＩＲ信号を検出すると、該端末が電話機の場合にはベル音を鳴らし、ユーザが受話器を取ると（フックオフ）、Ｌ１−Ｌ２間が接続され、これにより２次応答信号が交換機７４に送られる（図８（ｈ））。また、受信側端末７６がファクシミリの場合、ＩＲ信号を検出すると、自動的にフックオフしてＬ１−Ｌ２間を接続し、これにより２次応答信号が交換機７４に送られる（図８（ｈ））。そして、発信側との通信（通話）を開始することができる（図８（ｉ））。
【００１６】
なお、図８及び図９の通信シーケンスと異なる応答をした場合でも、以下の継続条件▲１▼、▲２▼に該当する場合には、この通信シーケンスが継続される。
【００１７】
継続条件▲１▼  ：
受信側端末７６が極性反転から所定時間Ｔ1 （６秒）以内にＣＡＲ信号に応答してフックオフしなかった場合、交換機７４はＣＡＲ信号の送出を止め、通常の呼出し信号を送出する。そして、これ以降は通常の通信／通話動作が実行される。
【００１８】
継続条件▲２▼  ：
受信側端末７６がモデム信号受信に失敗した場合でも、モデム信号送出時から所定時間Ｔ2 （７秒）以内に受信側端末７６がフックオンすれば、発信電話番号通知サービスのシーケンスは継続して行われる。
【００１９】
以上、図８及び図９に示したように、発信電話番号通知サービスが実施されているときに実際に電話番号が受信側に通知されるためには、受信側で発信側との通話（通信）に先立って、ＩＴＵ−Ｔ勧告Ｖ．２３に準拠したモデム信号により交換機と通信を行うことが必要となる。従って、受信側では交換機との電話番号受信のための通信と発呼側との通話と２度の通信を行うことになる。すなわち、受信側は、呼出しのために２度の信号を受信する。最初の信号は交換機とモデム信号をやり取りする前に受信するＣＡＲ信号、そして次の信号は発信者側と通話（通信）するためのＩＲ信号である。
【００２０】
【発明が解決しようとする課題】
しかしながら、上記従来の技術では、ユーザが発信電話番号通知サービスを契約し、本サービスに対応したデータ通信装置（電話端末等）の後位に他の電話端末を接続した場合、２つの端末間で発着呼の衝突が生じるおそれがあるという問題がある。
【００２１】
すなわち、発信電話番号通知サービスにおいて、前段のデータ通信装置で上記ＣＡＲ信号に応答して回線を接続してから上記ＩＲ信号が交換機から送られてくるまでの時間内（ＮＴＴの公開資料より１３秒以上になることもある）に後位に接続された電話端末から発呼処理が開始されると、発着呼衝突が発生する。
【００２２】
また、後位の電話端末が発信電話番号通知サービスに対応していない場合、後位の電話端末がＣＡＲ信号に反応して鳴動してしまう場合がある。このような場合、本サービスに非対応であるにも係わらず、電話端末が鳴動したことによりユーザがフックオフすると交換機からのＩＴＵ−Ｔ勧告Ｖ．２３に準拠したモデム信号に対処できないため、発信側との通話（通信）も不可能となる。
【００２３】
本発明は、上記事実に鑑みなされたもので、ＣＡＲ信号に応答して回線を接続してからＩＲ信号が交換機から送られてくるまでの時間に後位の端末から発呼処理されても発着呼の衝突を回避したデータ通信装置を提供することを目的とする。
【００２４】
【課題を解決するための手段】
上記目的を達成するために、請求項１の発明は、電話回線を介してデータ通信可能であり、後位に端末が接続されると共に、発信側の電話番号を受信側に通知する発信電話番号通知サービスに対応したデータ通信装置において、後位の端末と前記電話回線とを切断した状態にし、前記発信電話番号通知サービス下において、発信電話番号の情報に先立って交換機から送出される起動信号を検出したとき、一次応答信号を送出し、前記起動信号の後に送出される発信電話番号の情報の受信完了後に受信完了信号を送出し、次に電話回線を介して受信されたデータから呼出し信号を検出したとき、後位の端末を電話回線に接続する制御手段を備えたことを特徴とする。
【００２５】
まず発信電話番号通知サービス下における通信シーケンスの概略を説明する。本サービス下では、発信側から受信側へ発呼があると、発信電話番号の情報に先立って以下で述べる起動信号（ＣＡＲ信号）が送出される。ＣＡＲ信号に受信側がフックオフで応答した場合、交換機は、発信電話番号の情報を受信側へ送出する。受信側が発信電話番号の情報を受信してフックオンで応答した後に、交換機は呼出し信号（ＩＲ信号）を受信側に送出する。起動信号と呼出し信号は、同じ周波数帯（１５Ｈｚ〜２０Ｈｚ）にあるため、本サービスに対応していない端末では、起動信号を呼出し信号であると誤認識し、通信不能に陥るおそれがある。
【００２６】
請求項１の発明では、発信電話番号通知サービスに対応したデータ通信装置の後位に端末を接続した場合を想定し、制御手段が、後位の端末と前記電話回線とを切断した状態にする。これにより、後位の電話端末が発信電話番号通知サービスに対応していない場合には、起動信号が後位の端末に入力されて後位の端末が鳴動することを防ぎ、後位の端末がフックオフされた場合の通信不能を防止することができる。
そして、発信電話番号の情報に先立って交換機から送出される起動信号を検出したとき、一次応答信号を送出し、交換機は、次のシーケンスを実行し、発信電話番号の情報をデータ通信装置へ送出する。ここで、データ通信装置は、発信電話番号の情報を受信し、受信完了後に受信完了信号を送出し、交換機は、次に呼出し信号を送出する。  
呼出し信号が検出されたとき、制御手段は、後位の端末を電話回線に接続する。このように本発明では、起動信号の受信から呼出し信号の受信まで、後位の端末と前記電話回線とを切断しているので、起動信号の受信から呼出し信号の受信までの間に後位の端末をフックオフしても発着呼の衝突を回避することができる。
請求項２の発明は、請求項１の発明において、前記制御手段は、発信電話番号の情報に先立って交換機から送出される起動信号を検出したとき、発呼不可を発呼者に知らせる発呼不可通知処理を開始して、一次応答信号を送出し、前記起動信号の後に送出される発信電話番号の情報の受信完了後に受信完了信号を送出し、次に電話回線を介して受信されたデータから呼出し信号を検出したとき、前記発呼不可通知処理を停止して、後位の端末を電話回線に接続する。
請求項３の発明は、電話回線を介してデータ通信可能であり、後位に端末が接続されると共に、発信側の電話番号を受信側に通知する発信電話番号通知サービスに対応したデータ通信装置において、電話回線を介して受信された受信データが前記データ通信装置及び後位の端末のいずれかで処理されるように受信データの入力経路を切り替え可能な第１の切替手段と、前記第１の切替手段の後位に接続され、該第１の切替手段を介して送られてきた受信データが後位の端末に入力されるか否かを切り替え可能な第２の切替手段と、電話回線を介して受信されたデータから呼出し信号を検出する第１の信号検出手段と、前記発信電話番号通知サービス下において発信電話番号の情報に先立って交換機から送出される起動信号を検出する第２の信号検出手段と、前記発信電話番号通知サービス下において、受信データが後位の端末に入力されないように前記第２の切替手段を切り替え、前記起動信号が検出されたとき前記１の切替手段をデータ通信装置側に切り替えて一次応答信号を送出し、前記起動信号の後に送出される発信電話番号の情報の受信完了後に前記第１の切替手段を後位の端末側に切り替えて受信完了信号を送出し、次に前記呼出し信号が検出されたとき、受信データが後位の端末に入力されるように前記第２の切替手段を切り替える制御手段と、を備えたことを特徴とする。
請求項３の発明では、制御手段が、受信データが後位の端末に入力されないように前記第２の切替手段を切り替える。これにより、後位の電話端末が発信電話番号通知サービスに対応していない場合には、起動信号が後位の端末に入力されて後位の端末が鳴動することを防ぎ、後位の端末がフックオフされた場合の通信不能を防止することができる。
【００２７】
そして、起動信号が検出されたとき第１の切替手段をデータ通信装置側に切り替えて一次応答信号を送出する。交換機は、次のシーケンスを実行し、発信電話番号の情報をデータ通信装置へ送出する。ここで、データ通信装置は、発信電話番号の情報を受信し、受信完了後に第１の切替手段を後位の端末側に切り替えて受信完了信号を送出する。そして、交換機は、次に呼出し信号を送出する。
【００２８】
呼出し信号が検出されたとき、制御手段は、受信データが後位の端末に入力されるように第２の切替手段を切り替える。このように本発明では、起動信号の受信から呼出し信号の受信まで、受信データが後位の端末に入力されないように第２の切替手段を切り替えている（すなわち後位の端末を電話回線と接続していない）ので、起動信号の受信から呼出し信号の受信までの間に後位の端末をフックオフしても発着呼の衝突を回避することができる。
【００２９】
また、請求項４の発明は、電話回線を介してデータ通信可能であり、後位に端末が接続されると共に、発信側の電話番号を受信側に通知する発信電話番号通知サービスに対応したデータ通信装置において、電話回線を介して受信された受信データが前記データ通信装置及び後位の端末のいずれかで処理されるように受信データの入力経路を切り替え可能な第１の切替手段と、前記第１の切替手段の後位に接続され、該第１の切替手段を介して送られてきた受信データが後位の端末に入力されるか否かを切り替え可能な第２の切替手段と、電話回線を介して受信されたデータから呼出し信号を検出する第１の信号検出手段と、前記発信電話番号通知サービス下において発信電話番号の情報に先立って交換機から送出される起動信号を検出する第２の信号検出手段と、後位の端末を呼び出し可能な呼出し手段と、後位の端末がフックオフされたか否かを検出するフック検出手段と、前記発信電話番号通知サービス下において、受信データが後位の端末に入力されないように前記第２の切替手段を切り替え、前記起動信号が検出されたとき前記１の切替手段をデータ通信装置側に切り替えて一次応答信号を送出し、前記起動信号の後に送出される発信電話番号の情報の受信完了後に前記第１の切替手段を後位の端末側に切り替えて受信完了信号を送出し、次に前記呼出し信号が検出されたとき前記呼出し手段により後位の端末を呼出し、呼出し中に後位の端末のフックオフが検出されたとき受信データが後位の端末に入力されるように前記第２の切替手段を切り替える制御手段と、を備えたことを特徴とする。
【００３０】
請求項４の発明においても、制御手段が、起動信号が検出されてから呼出し信号が検出されるまでの間、請求項３の発明と同様の処理を実行するが、呼出し信号が検出されると、請求項３の発明のように直ちに第２の切替手段を切り替えるのではなく、呼出し手段により後位の端末を呼び出す。この呼出し手段は、交換機から送られてくる呼出し信号と類似の信号を後位の端末に出力する装置として構成することができる。そして、制御手段は、後位の端末呼出し中に、フック検出手段により後位の端末のフックオフが検出されたとき受信データが後位の端末に入力されるように第２の切替手段を切り替える。
【００３１】
このように本発明は、起動信号の受信から後位の端末のフックが検出されるまで、受信データが後位の端末に入力されないように第２の切替手段を切り替えているので、起動信号の受信から呼出し信号の受信までの間に後位の端末をフックオフしても発着呼の衝突を回避することができる。
【００３２】
また、請求項４の発明は、呼出し信号が検出されても直ちに電話回線と後位の端末とを接続しないため、請求項５及び請求項６の発明のような実施態様が可能となる。
【００３３】
すなわち、請求項５の発明は、請求項４の発明において、受信された前記発信電話番号の情報を後位の端末用の信号に変換して後位の端末に出力する出力手段と、をさらに備え、前記制御手段は、後位の端末のフックオフが検出された後、受信データが後位の端末に入力されるように前記第２の切替手段が切り替えられる前に、前記発信電話番号の情報を前記出力手段により後位の端末に出力させることを特徴とする。
【００３４】
ここで、出力手段として、例えば発信電話番号の情報を音声信号に変換して出力する音声応答装置などを用いることができる。このように本発明では、後位の端末をフックオフすると、発呼者の電話番号が後位の端末で出力されるため、相手の番号を知った上で応対することができる。
【００３５】
さらに、請求項６の発明は、請求項５の発明において、指定された時刻を始点として後位の端末がフックオフされている間のフックオフ時間を計測する計測手段と、をさらに備え、前記制御手段は、前記発信電話番号の情報を前記出力手段により後位の端末に出力させた後、前記計測手段により、該情報の出力完了時を始点としてフックオフ時間を計測させ、該フックオフ時間が一定時間を越えたときのみ受信データが後位の端末に入力されるように前記第２の切替手段を切り替えることを特徴とする。
【００３６】
このように本発明では、後位の端末をフックオフしても直ちに電話回線と接続されるのではなく、発呼者の電話番号が出力された後のフックオフ時間が一定時間を越えたときのみ電話回線と後位の端末とが接続されるため、応答したくない呼びに出ずに済む。なお、情報出力後のフックオフ時間が一定時間を越えていない間にフックオンされた場合は、電話回線をそのまま開放させておく。このとき、データ通信装置と後位の端末双方が呼出し信号に対応して鳴動しないこともできる。
【００３７】
以上の請求項３〜請求項６の発明では、少なくとも起動信号受信から呼出し信号受信までの間、発呼衝突を回避させることができるが、後位の端末をフックオフしたにも係わらず、何ら通知がなく発呼不可であるのは、いかにも不親切である。そこで、以下の請求項７及び請求項８の発明では、後位の端末の発呼者に対し発呼不可であることを通知する手段を設けたものである。
【００３８】
すなわち、請求項７の発明は、請求項３乃至請求項６のいずれか１項の発明において、前記起動信号が検出されてから前記呼出し信号が検出されるまでの間、後位の端末からの発呼が不可能であることを音で通知若しくは画面に表示する通知手段と、をさらに備えたことを特徴とする。
【００３９】
また、請求項８の発明は、請求項３乃至請求項６のいずれか１項の発明において、前記起動信号が検出されてから前記呼出し信号が検出されるまでの間に後位の端末がフックオフされたとき、話中音を発生させるための信号を後位の端末に出力する話中音発生手段と、をさらに備えたことを特徴とする。
【００４０】
以上の請求項３〜請求項８の発明は、起動信号受信から呼出し信号受信までの間に後位の端末からフックオフされた場合に対する措置を示したものであるが、この間にデータ通信装置からフックオフされることもあり得る。
【００４１】
そこで、請求項９の発明は、請求項３乃至請求項８のいずれか１項の発明において、前記起動信号が検出されてから前記呼出し信号が検出されるまでの間に、前記データ通信装置でフックオフの操作がなされた場合、該フックオフの操作に対応した処理を禁止する禁止手段と、をさらに備えたことを特徴とする。
【００４２】
この禁止手段により、起動信号受信から呼出し信号受信までの間にデータ通信装置からフックオフされた場合でも、該フックオフの操作に対応した処理が禁止されるので、発着呼の衝突を回避することができる。
請求項１０の発明のデータ通信方法は、電話回線を介してデータ通信可能であり、後位に端末が接続されると共に、発信側の電話番号を受信側に通知する発信電話番号通知サービスに対応したデータ通信装置において、後位の端末と前記電話回線とを切断した状態にし、前記発信電話番号通知サービス下において、発信電話番号の情報に先立って交換機から送出される起動信号を検出したとき、一次応答信号を送出し、前記起動信号の後に送出される発信電話番号の情報の受信完了後に受信完了信号を送出し、次に電話回線を介して受信されたデータから呼出し信号を検出したとき、後位の端末を電話回線に接続することを特徴とする。
【００４３】
【発明の実施の形態】
以下、図面を参照して本発明に係る実施の形態を説明する。
【００４４】
（第１の実施の形態）
図１に、第１の実施の形態に係るデータ通信装置のシステム構成例を示す。同図が示すように、第１の実施の形態に係るデータ通信装置のシステムは、上記発信電話番号通知サービスに対応したデータ通信装置（ファクシミリ装置）１０を前段に接続し、発信電話番号通知サービスに対応していない外付け電話機３８をデータ通信装置１０の後位に接続してなるものである。
【００４５】
ファクシミリ装置としてのデータ通信装置１０は、所定のプログラムに基づいて装置全体の管理・制御及びタイマーによる時間の計測を行うＣＰＵ１２と、このＣＰＵ１２のプログラムを格納する不揮発性メモリのＲＯＭ１４と、ＣＰＵ１２のデータの一時記憶用メモリとして用いられると共に受信データのバッファとして用いられるＲＡＭ１６と、必要となるデータを表示すると共にデータ入力手段として用いられるパネル表示部１８と、を備え、各々がデータや命令を伝達するためのバス２０に接続されている。なお、パネル表示部１８は、後述する発着呼衝突を回避させるための処理を行っている間にユーザが外付電話機３８をフックオフしても回線と接続できないことを警告する警告表示部１９と、データ通信装置１０をフックオフするためのフックボタンを備えた操作部１７と、を含んで構成されている。
【００４６】
また、バス２０には、電話回線を介して送受信されたデータの通信を制御する通信制御部２２が接続されており、通信制御部２２は、電話回線を介して受信されたアナログデータをデジタルデータに変換すると共に送信するデジタルデータを電話回線用のアナログデータに変換するモデム２４と接続されている。また、モデム２４は、本実施の形態に係る後述する切替処理を行う電話回線インターフェース装置３６を介して電話回線と接続されている。この電話回線インターフェース装置３６は、電話回線、モデム２４以外に外付け電話機３８及びＣＰＵ１２と接続されており、ＣＰＵ１２の指令に応じて接続態様の切替えを行う。
【００４７】
さらに、バス２０には、送信データの圧縮及び受信データの復元を行う情報圧縮復元部２６と、記録画像の処理を行う記録処理部３０と、読取画像の処理を行う読取処理部３４と、が接続されている。
【００４８】
記録処理部３０には、受信データの画像を用紙に記録する記録走査部２８が接続されており、この記録処理部３０は、ＲＡＭ１６に格納されているた受信データを読み出して記録走査部２８に転送する際のインターフェースを制御する。また、読取処理部３４には、送信原稿の画像を走査して読み取る読取走査部３２が接続されており、この読取処理部３４は、読み取られた画像をデジタル画像データに変換すると共に該データをＲＡＭ１６に転送する際の出力インターフェースを制御する。
【００４９】
次に、電話回線インターフェース装置３６の詳細な構成を図２に示す。
図２に示すように、電話回線インターフェース装置３６は、電話回線をモデム２４及び外付け電話機３８のいずれかに接続するための第１の切替手段５０を備えている。第１の切替手段５０は、電話回線からのＬ１、Ｌ２信号が入力される入力端子を備えると共に、モデム２４に接続されているＯＮ側の出力端子及び外付電話機３８へ至るＯＦＦ側の出力端子を備えており、入力端子をＯＮ側及びＯＦＦ側のいずれかの出力端子に接続されるように切り替え可能とされている。すなわち、第１の切替手段５０をＯＮにすると電話回線がモデム２４と接続されてファクシミリ装置１０と通信可能となり、第１の切替手段５０をＯＦＦにすると電話回線が外付け電話機３８と接続可能となり、外付電話機３８による通話が可能となる。
【００５０】
また、第１の切替手段５０のＯＦＦ側の出力端子は、第２の切替手段５２のＯＦＦ側の出力端子と接続されている。第２の切替手段５２は、第１の切替手段５０がＯＦＦのときに実際に外付電話機３８を電話回線へ接続するか否かを切り替える手段であり、その入力端子は外付電話機３８へ接続され、ＯＮ側の出力端子は、２４Ｖ（ボルト）給電回路７２に接続されている。そして、第２の切替手段５２は入力端子をＯＮ側及びＯＦＦ側のいずれかの出力端子に接続されるように切り替え可能とされている。すなわち、第２の切替手段５２をＯＦＦにすると第１の切替手段５０がＯＦＦのときに外付電話機３８が電話回線へ接続され、第２の切替手段５２をＯＮにすると外付電話機３８が２４Ｖ給電回路７２に接続される。
【００５１】
第１の切替手段５０及び第２の切替手段５２には、ＣＰＵ１２が接続されており、ＣＰＵ１２の指令に応じてＯＮ、ＯＦＦが切り替え可能とされている。第１の切替手段５０及び第２の切替手段５２は、通常のメカニカルリレーや半導体リレーにより実現することができ、その使用方法は一般に公知である。切替手段としてリレーを使用した場合、ＯＮ、ＯＦＦの切り替えは、ＣＰＵ１２と接続されたトランジスタ或いはリレードライバなどにより駆動される。
【００５２】
さらに、第２の切替手段５２の一方の入力端子と該端子に接続されている外付電話機３８との間には、外付電話機３８がフックオンしているかフックオフしているかを検出するフック検出手段５４が介在されている。このフック検出手段５４として、例えばフォトカプラ或いはホール素子を用いた電流検出器を使用することができる。
【００５３】
すなわち、第２の切替手段５２がＯＦＦにされているときに、外付電話機３８がフックオフされてＬ１−Ｌ２間がループ接続されると電話回線の４８Ｖ電流がフック検出手段５４に流れるが、外付電話機３８がフックオフされてＬ１−Ｌ２間のループが切断されるとフック検出手段５４に電流が流れなくなる。また、第２の切替手段５２がＯＮにされているときに、外付電話機３８がフックオフされてＬ１−Ｌ２間がループ接続されると、２４Ｖ給電回路７２による電流がフック検出手段５４に流れるが、外付電話機３８がフックオフされてＬ１−Ｌ２間のループが切断されると、フック検出手段５４に電流が流れなくなる。このようにフック検出手段５４に電流が流れたか否かを検出することにより、外付電話機３８のフックオン及びフックオフを判定することができる。実際には、この判定は、フック検出手段５４と接続されているＣＰＵ１２が行う。
【００５４】
図２のフック検出手段５４は、第２の切替手段５２の入力端子と外付電話機３８との間に介在されている発光素子５６と、該発光素子５６が発光した光を検出するフォトトランジスタ５８とから構成されている。そして、フォトトランジスタ５８の一方の電極はアース接続され、他方の電極はＣＵ１２と接続されている。外付電話機３８がフックオフされると、発光素子５６に電流が流れて発光し、この光を検出したフォトトランジスタ５８が通電するため、ＣＰＵ１２はフック検出手段５４に電流が流れたか否か、すなわち外付電話機３８がフックオフされたか否かを検知することができる。
【００５５】
また、第１の切替手段５０及び第２の切替手段５２のＯＦＦ側の出力端子には、１６Ｈｚ信号（ＣＡＲ信号、ＩＲ信号）を検出する信号検出手段６０が接続されている。信号検出手段６０は、第１の切替手段５０及び第２の切替手段５２の一方のＯＦＦ側の出力端子と他方のＯＦＦ側の出力端子との間に接続されたコンデンサ６２、抵抗６４、及び発光素子６６を備え、さらにこの発光素子６６と並列で逆向きに取り付けられた発光素子６８及びこれらの発光素子の受光位置に配置されたフォトトランジスタ７０を備えている。フォトランジスタ７０の一方の電極はアース接続され、他方の電極はＣＰＵ１２へ接続されている。
【００５６】
この信号検出手段６０では、電話回線から送られてくる信号の交流成分のみが発光素子６６、６８に流れ、いずれかの向きに流れる電流に応じて発光素子６６及び発光素子６８のいずれかの素子が電流値に対応した光量で発光する。そして、フォトトランジスタ７０は、一定以上の光量でいずれかの発光素子が発光したときに通電するので、送られてきた信号の周波数に応じた矩形波がＣＰＵ１２へ出力される。ＣＰＵ１２では、一定時間以内の矩形波の数をカウントすることにより、信号の周波数を検出し、電話回線から送られてきた信号が１６Ｈｚ信号（ＣＡＲ信号、ＩＲ信号）であるか否かを検知することができる。
【００５７】
また、ＣＡＲ信号とＩＲ信号とは、上述のように、繰り返される１つのパターンの中で、信号がＯＮ、ＯＦＦされる時間が各々異なるので、ＣＰＵ１２は、この相違を判定することにより、検出された１６Ｈｚ信号がＣＡＲ信号であるかＩＲ信号であるかを検知することができる。
【００５８】
さらに、本実施の形態に係る電話回線インターフェース装置３６には、第２の切替手段５２の出力端子に２４Ｖ給電回路７２と並列に接続された音発生器７３が設けられている。この音発生器７３は、ＣＰＵ１２と接続されており、第２の切替手段５２がＯＮの場合に外付電話機３８がフックオフされたときに、ＣＰＵ１２からの指令に応じて、外付電話機の発呼者に対し回線と接続不可であることを知らせるための音信号を出力する。この音信号は、外付電話機３８に入力され、外付電話機３８は音信号に対応した音を出力する。
【００５９】
音発生器７３による音として、例えば、音声、メロディー、話中音などがある。このうち、話中音は４００Ｈｚ、０．５秒間のＯＮ、ＯＦＦの繰り返しからなる信号で、レベルも−１０ｄｂＭ〜−２０ｄｂＭ程度であるため、話中音の発生回路は、ウィーンブリッジ型の発信回路等のよく知られた発信回路を用いて簡単に作成できる。
【００６０】
次に、第１の実施の形態に係るデータ通信装置１０の処理の流れを図３のフローチャートを用いて説明する。なお、以下で説明するフローチャート（図３乃至図７）では、通話優先モードを前提にする。すなわち、データ通信装置１０の電源がＯＮになり発着呼があると、第１の切替手段５０をＯＦＦ側に切り替え、電話回線を外付電話機３８に接続可能とする場合を扱う。
【００６１】
図３に示すように、データ通信装置１０の電源がＯＮになると（ステップ２００）、直ちに第２の切替手段５２をＯＮとする（ステップ２０２）。これにより、通話優先モードでも、外付電話機３８と電話回線とが切断されて、交換機からＣＡＲ信号が送られてきても外付電話機３８には該信号が届かず、誤検出を防止できる。この場合、２４Ｖ給電回路７２が外付電話機３８と接続されて、フック検出手段５４は、２４Ｖ給電回路７２の供給電流によって動作する。
【００６２】
次に、フック検出手段５４が外付電話機３８のフックオフを検出したか否かを判定する（ステップ２０４）。なお、以下でフックオン、フックオフの検出というときは、特に断らない限り、フック検出手段５４による外付電話機３８でのフックオン、フックオフの検出をいうものとする。
【００６３】
フックオフを検出した場合（ステップ２０４肯定判定）、すなわち、ＩＲ信号による呼出しではなくユーザが自発的に外付電話機３８の受話器を持ち上げてフックオフした場合、通話開始のために第２の切替手段５２をＯＦＦとする（ステップ２４２）。このとき、通話優先モードで第１の切替手段５０がＯＦＦにされているので、電話回線と外付電話機３８とが接続される。そして、通話が開始され（ステップ２４８）、通話中にフックオンが検出されると（ステップ２５０肯定判定）、通話終了となって（ステップ２５２）、ステップ２０２に戻り、再び第２の切替手段５２をＯＮとしてＣＡＲ信号が外付電話機３８に届かないようにして同様の処理を繰り返す。
【００６４】
一方、フックオフを検出しない場合（ステップ２０４否定判定）、信号検出手段６０によりＣＡＲ信号が検出されたか否かを判定する（ステップ２０６）。ＣＡＲ信号が検出されない場合（ステップ２０６否定判定）、ステップ２０４に戻り、フックオフ検出或いはＣＡＲ信号検出まで同様の判定処理を繰り返す。
【００６５】
ＣＡＲ信号が検出された場合（ステップ２０６肯定判定）、第２の切替手段５２がＯＮのままで外付電話機３８から発呼しても回線が接続されないので、発呼不可を発呼者に通知するための処理（発呼不可通知処理）を開始する（ステップ２１０）。
【００６６】
具体的にステップ２１０の発呼不可通知処理では、フック検出手段５４によりフックオフが検出されたとき、音発生器７３により、発呼不可を知らせる音声、メロディー及び話中音のいずれかの信号を出力させ、外付電話機３８の受話器を取り上げてフックオフした発呼者にその旨を知らせる。また、データ通信装置１０の警告表示部１９に発呼不可の表示、例えば『発信電話番号処理中。発信／発呼処理はできません。』と表示させる。勿論、文字ではなく、アラームランプを点灯・点滅させたり、データ通信装置側から合成音声やメロディを流しても良い。さらに、上記各方法を組み合わせたりしても良く、発呼処理通知処理は、上記例に限定されるものではない。
【００６７】
次に、第１の切替手段５０をＯＮとする（ステップ２１２）。これにより開放されていた電話回線がモデム２４と接続され、Ｌ１−Ｌ２間のループが開放されたフックオンの状態から該ループが閉結されたフックオフの状態に移行する。すなわち、データ通信装置１０がＣＡＲ信号に応答して１次応答信号であるフックオフを送出したことになる（図８（ｃ）参照）。これにより、交換機は、発信電話番号通知サービス下における通常のシーケンスを実行し、発信電話番号の情報をデータ通信装置１０に送出するので、モデム２４及び通信制御部２２によるモデム通信を開始する（ステップ２１４）。なお、モデム通信により受信した発信電話番号の情報は、ＲＡＭ１６などのメモリに格納される。
【００６８】
そして、モデム通信が完了すると（ステップ２１６肯定判定）、第１の切替手段をＯＦＦとする（ステップ２１８）。これによりＬ１−Ｌ２間のループが閉結されたフックオフの状態から該ループが開放されたフックオンの状態に移行する。すなわち、データ通信装置１０がモデム信号の受信完了後に受信完了信号であるフックオンを送出したことになる（図８（ｅ）参照）。これにより、交換機は、発信電話番号通知サービス下における通常のシーケンスを実行し、ＩＲ信号を送出するので、ＩＲ信号が検出されたか否かを判定する（ステップ２１９）。
【００６９】
ＩＲ信号が検出された場合（ステップ２１９肯定判定）、発呼不可通知処理を停止させ（ステップ２２０）、第２の切替手段５２をＯＦＦとして（ステップ２４０）、外付電話機３８を電話回線に接続させる。これにより、外付電話機３８にはＩＲ信号が入力され、外付電話機３８が呼出し音を発生する。このとき、ステップ２１４のモデム通信で受信した発信電話番号の情報をＲＡＭ１６から読み出してパネル表示部１８などに表示させても良い。
【００７０】
この状態でフックオフが検出された場合（ステップ２４４肯定判定）、ユーザが呼出し音に応じて外付電話機３８の受話器を取り上げたので、通話が開始され（ステップ２４８）、通話中にフックオンが検出されると（ステップ２５０肯定判定）、通話終了となって（ステップ２５２）、ステップ２０２に戻り、再び第２の切替手段５２をＯＮとしてＣＡＲ信号が外付電話機３８に届かないようにして同様の処理を繰り返す。
【００７１】
電話回線と外付電話機３８が接続された状態でフックオフが検出されない場合（ステップ２４４否定判定）、ＩＲ信号がまだ検出されているか否かを判定する（ステップ２４６）。ＩＲ信号が検出された場合（ステップ２４６肯定判定）、ステップ２４４に戻りフックオフが検出されたか否かを再び判定する。このようにＩＲ信号が検出されている間は外付電話機３８でフックオフがなされたか否かが判定される。しかし、フックオフが検出されないうちにＩＲ信号が検出されなくなった場合（ステップ２４６否定判定）、外付電話機３８の受話器を誰も取り上げなくて発呼が終了したので、ステップ２０２に戻り、再び第２の切替手段５２をＯＮとしてＣＡＲ信号が外付電話機３８に届かないようにして同様の処理を繰り返す。
【００７２】
なお、通信優先（ファクシミリ優先）モードのときは、第１の切替手段５０がＯＮ側に切り替えられて、データ通信装置１０が発信者電話番号通知サービスに応じたシーケンスに対応する。
以上のように、本実施の形態では、ＣＡＲ信号受信からＩＲ信号受信までの間に後位の外付電話機３８から発呼があったとしても、この間、後位の外付電話機３８は、電話回線から切り離されているため、発呼衝突を防止することができる。また、ＣＡＲ信号受信からＩＲ信号受信までの間、発呼不可を通知するので、発呼不可によるユーザの困惑を回避させることができる。なお、第１の実施の形態では、後位の電話端末が発信電話番号通知サービスに対応していない場合を想定したが、後位の端末が本サービスに対応している場合でも、上記と同様の効果を奏することができる。
【００７３】
さらに、後位の外付電話機３８が発信電話番号通知サービスに対応していない場合、外付電話機３８にＣＡＲ信号が入力されないため、ＣＡＲ信号により外付電話機が鳴動してユーザがフックオフするおそれがなくなり、後位端末のフックオフによる通信不能を防止することができる。
【００７４】
このように本実施の形態では、簡単なリレーなどで実現できる第１及び第２の切替手段と、フォトカプラなどで実現できるフック検出手段５４及び信号検出手段６０と、により構成された電話回線インターフェース装置３６を用いるだけで、後位の電話端末が発信電話番号通知サービスに対応・非対応に係わらず、通常の電話と同じように発呼、着呼応答することができる。
【００７５】
（第２の実施の形態）
次に、第２の実施の形態を説明する。なお、第１の実施の形態と同様の構成については同一の符号を付して詳細な説明を省略し、異なる部分についてのみ説明する。
【００７６】
図４には、第２の実施の形態に係る電話回線インターフェース装置３６の構成が示されている。同図が示すように、第２の切替手段５２の出力端子には、２４Ｖ給電回路７２と並列に発信電話番号の情報を出力する出力装置７１及び呼出し信号を発生する信号発生器７５が接続されている。
【００７７】
出力装置７１は、ＣＰＵ１２と接続されており、ＣＰＵ１２の指令に応じて、ＲＡＭ１６に格納されている発信電話番号の情報を後位の端末用の信号（例えば、音声信号、後位の端末の表示用ディスプレイでの出力コード）に変換して出力する。ここで、出力装置７１を、例えば、音声応答装置、ＤＴＭＦ（Dual Tone Multi Frequency ）信号を発生するＤＴＭＦ発生器などにより実現することができる。ここで、ＤＴＭＦ信号とは、２つの周波数からなる信号で、プッシュボタン式のダイヤル信号として用いられるものである。
【００７８】
音声応答装置は、キャラクターコードとしての発信者電話番号の情報を音声信号に合成変換して外付電話機３８に出力するもので、これにより外付電話機３８をフックオフすると、発信者電話番号の情報を実際に音声として聞くことができる。この音声応答装置は一般に市販されているものを使用できる。ＤＴＭＦ発生器の場合は、発信電話番号通知サービスに対応したモデム２４がその機能を有しているため、ハードウェアを追加しないで実現することも可能である。
【００７９】
なお、出力装置７１を、発信電話番号の通知手段としてだけではなく、第１の実施の形態に係る発呼不可通知処理（図３のステップ２１０）に用いることも可能である。
【００８０】
信号発生器７５は、ＣＰＵ１２と接続されており、ＣＰＵ１２からの指令に応じて呼出し音のＯＮ、ＯＦＦを切り替える。この呼出し音は、交換機から電話回線を介して送られてくるＩＲ信号と類似の信号（１６Ｈｚ、７５Ｖｒｍｓ、１秒ＯＮ、２秒ＯＦＦの繰り返し）に設定される。なお、信号発生器７５を２４Ｖ給電回路７２と直列に接続しても良い。
【００８１】
第２の切替手段５２がＯＮのときに、呼出し音発生器７５から呼出し音が出力されると、外付電話機３８へ呼出し音が入力されて外付電話機３８が鳴動することになる。この信号発生器７５も一般に市販されているものを使用できる。
【００８２】
なお、第２の実施の形態でも、図２の音発生器７３を第２の切替手段５２の出力端子に接続させて、発呼不可通知処理で使用しても良い。
【００８３】
次に、第２の実施の形態に係るデータ通信装置の処理の流れを図５のフローチャートを用いて説明する。図５の処理は、第１の実施の形態と同様にＣＡＲ信号受信からＩＲ信号受信までの間は、外付電話機３８を電話回線から切り離しておく処理であるが、信号発生器７５の信号により外付電話機３８を呼び出す点が異なる。なお、図５のステップで図３のステップと同様の処理については同一のステップ番号を付して原則として説明を省略し、異なる処理のステップを関連する同一処理のステップと共に説明する。
【００８４】
図５が示すように、第２の実施の形態では、ＩＲ信号を検出し（ステップ２１９肯定判定）、発呼不可通知処理を停止させた（ステップ２２０）後、第１の実施の形態のように直ちに第２の切替手段５２をＯＦＦとして交換機からのＩＲ信号を外付電話機に入力させるのではなく、信号発生器７５により呼出し信号を発生させる（ステップ２２２）。これにより、信号発生器７５から出力された呼出し信号がＯＮ側に切り替えられている第２の切替手段５２を介して外付電話機３８に入力し、電話機が鳴動する。
【００８５】
この状態でフックオフが検出された場合（ステップ２２４肯定判定）、ユーザが呼出し音に応じて外付電話機３８の受話器を取り上げたので、信号発生器７５の動作を停止させて電話機の呼出し音を停止させる（ステップ２２８）。次に、ＲＡＭ１６に格納されている発信電話番号の情報を読み出し（ステップ２３０）、読み出した発信電話番号の情報を出力装置７１により出力（ステップ２３２）させてから、第２の切替手段５２をＯＦＦとする（ステップ２４２）。これにより、ユーザが発信者の電話番号を知った状態で通話が開始される（ステップ２４８）。
【００８６】
電話回線と外付電話機３８が接続された状態でフックオフが検出されない場合（ステップ２２４否定判定）、ＩＲ信号がまだ検出されているか否かを判定する（ステップ２２６）。ＩＲ信号が検出された場合（ステップ２２６肯定判定）、ステップ２２４に戻りフックオフが検出されたか否かを再び判定する。このようにＩＲ信号が検出されている間は外付電話機３８でフックオフがなされたか否かが判定される。しかし、フックオフが検出されないうちにＩＲ信号が検出されなくなった場合（ステップ２２６否定判定）、外付電話機３８の受話器を誰も取り上げなくて発呼が終了したので、信号発生器７５の動作を停止させて電話機の呼出し音を停止させる（ステップ２２７）。そして、第２の切替手段５２がＯＮのままステップ２０４に戻り、再び第２の切替手段５２をＯＮとしてＣＡＲ信号が外付電話機３８に届かないようにして同様の処理を繰り返す。
【００８７】
以上のように第２の実施の形態は、信号発生器７５の呼出し信号により後位の電話端末を呼び出す例であり、この場合も、第１の実施の形態と同様の効果を奏することができる。また、発信電話番号通知サービスに対応していない後位の端末を用いたとしても、受信側が発信者の電話番号を知ることができるという利点がある。
【００８８】
（第３の実施の形態）
次に、第３の実施の形態を説明する。第３の実施の形態の構成は、第２の実施の形態と同様であるので、同一の符号を付して詳細な説明を省略する。但し、ＣＰＵ１２は、指定された時刻を始点としてフック検出手段５４がフックオフを検出している間の時間を計測する機能を有するとする。
【００８９】
第３の実施の形態に係るデータ通信装置の処理の流れを図６のフローチャートを用いて説明する。なお、図６のフローチャートは、図５のフローチャートと同様であるので、図５のステップと同様の処理については同一のステップ番号を付して原則として説明を省略し、異なる処理のステップを関連する同一処理のステップと共に説明する。
【００９０】
図６のフローチャートが示すように、出力装置７１により発信電話番号の情報は出力された（ステップ２３２）後、当該情報の出力時を始点としてフックオフ時間Ｔｆのカウントを開始する（ステップ２３４）。このカウントは、以下のステップの処理中に並行して行われる。そして、フックオフ時間Ｔｆが一定時間Ｃを越えているか否かを判定する（ステップ２３６）。
【００９１】
フックオフ時間Ｔｆが一定時間Ｃを越えたとき（ステップ２３６肯定判定）、受信側ユーザに通話の意思があるとみなして第２の切替手段５２をＯＦＦとして外付電話機３８に電話回線を接続させて通話可能とする。
【００９２】
一方、フックオフ時間Ｔｆが一定時間Ｃを越えていないとき（ステップ２３６否定判定）、フックオンが検出されたか否かを判定する（ステップ２３８）。フックオンが検出されない場合は（ステップ２３８否定判定）、再びステップ２３６に戻り同様の処理を繰り返す。フックオンが検出された場合（ステップ２３８肯定判定）、すなわち、フックオフ時間Ｔｆが一定時間Ｃを越えないうちに受話器を置いた場合、受信側ユーザに通話の意思がないとみなして第２の切替手段５２がＯＮのままステップ２０４に戻って同様の処理を繰り返す。
【００９３】
第３の実施の形態では、データ通信装置１０及び外付電話機３８双方が呼出し信号に対応して鳴動しないようにすることもできるため、電話回線を開放させたままでもうるさくなく、応答したくない呼びに出ずにすむことができる。
【００９４】
（第４の実施の形態）
次に、第４の実施の形態を説明する。第４の実施の形態の構成は、第１の実施の形態と同様であるので、同一の符号を付して詳細な説明を省略する。なお、第４の実施の形態は、ユーザが直接、図１のパネル表示部１８のフックボタン１７を操作するときの対処方法を示したものである。
【００９５】
第４の実施の形態の処理の流れを図７のフローチャートを用いて説明する。
図７のフローチャートに示すように、まず前処理を実行する（ステップ３００）。この前処理は、図３〜図６のステップ２００及びステップ２０２に対応するものである。
【００９６】
次に、フック検出手段５４が外付電話機３８のフックオフを検出したか否かを判定する（ステップ３０２）。フックオフを検出した場合（ステップ３０２肯定判定）、通話処理を実行する（ステップ３１４）。この通話処理は、図３〜図６のステップ２４２〜ステップ２５２に対応するものである。
【００９７】
フックオフを検出しない場合（ステップ３０２否定判定）、ＣＡＲ信号を検出したか否かを判定する（ステップ３０４）。ＣＡＲ信号を検出しなかった場合（ステップ３０４否定判定）、再びステップ３０２に戻って同様の処理を繰り返す。
【００９８】
ＣＡＲ信号を検出した場合（ステップ３０４肯定判定）、ユーザがデータ通信装置１０のフックボタン１７を押下したときにＣＰＵ１２へ伝達されるフックオフ信号が検出されたか否かを判定する（ステップ３０８）。フックオフ信号が検出された場合（ステップ３０８肯定判定）、フックオフ信号を無視する（ステップ３１０）。すなわち、ユーザがデータ通信装置１０からの発呼等の目的でフックオフボタン１７を押下しても、ＣＡＲ信号を検出して外付電話機３８への呼出し信号を検出する前なので、データ通信装置からの発呼を禁止する。
【００９９】
そして、ＩＲ信号を検出したか否かを判定し（ステップ３１２）、ＩＲ信号がまだ検出されないときは（ステップ３１２否定判定）、再びステップ３０８に戻って同様の処理を繰り返す。ＩＲ信号が検出された場合（ステップ３１２肯定判定）、通話処理を実行する（ステップ３１４）。
【０１００】
このように第４の実施の形態では、データ通信装置１０がＣＡＲ信号を受信してからＩＲ信号を受信するまでの発信電話番号受信中にユーザが発呼等の目的でフックボタン１７を押下してデータ通信装置１０に対しフックオフの要求をしても、その要求を無視するので、外付電話機３８への発着と、データ通信装置１０からの発呼との衝突が避けられる。
【０１０１】
なお、図７の処理は、図３〜図６の処理に適用可能である。
以上が本発明に係る各実施の形態であるが、上記例にのみ限定されるものではない。例えば、データ通信装置１０として、ファクシミリ以外には、データ通信を行うことが可能な装置、例えば通信機能を備えたパーソナルコンピュータ、データモデム装置、電話機などを適用することができる。また、後位に接続された外付電話機３８を上記のようなデータ通信可能な装置で構成することも可能である。
【０１０２】
さらに、電話回線インターフェース装置３６を単独のアダプタ装置で使用できるようにしても良い。この場合、電話回線インターフェース装置内部に図３〜図７の処理を実行するＣＰＵを内蔵する。
【０１０３】
さらに電話回線インターフェース装置において、発信電話番号通知サービス非対応の単一のデータ通信装置の通信不能を防止する装置として構成することもできる。この場合、第１の切替手段５０を省略し、電話回線が第２の切替手段のＯＦＦ側の出力端子に直接接続される。
【０１０４】
また、一般の電話回線以外の電話回線にも接続できるデータ通信装置に本発明を適用したり、ダイヤルインサービスに対応させることもできる。
【０１０５】
なお、通信シーケンスの変更、例えばＴ1 、Ｔ2 などの時間の変更に伴って、上記実施の形態における処理の内容を変更することはいうまでもない。
【０１０６】
【発明の効果】
以上説明したように、請求項１の発明によれば、電話回線と後位の端末とを切断しておき、データ通信装置で起動信号の受信から呼出し信号の受信までの通信シーケンスを実行し、呼出し信号が受信されたときに後位の端末を電話回線と接続するようにしたので、起動信号の受信から呼出し信号の受信までの間に後位の端末をフックオフしても発着呼の衝突を回避することができる、という効果が得られる。
【０１０７】
また、請求項２の発明によれば、電話回線と後位の端末とを切断しておき、データ通信装置で起動信号の受信から呼出し信号の受信までの通信シーケンスを実行し、呼出し信号が受信されたときに後位の端末を呼出し、フックオフが検出されたときに後位の端末を電話回線と接続するようにしたので、起動信号の受信から呼出し信号の受信までの間に後位の端末をフックオフしても発着呼の衝突を回避することができる、という効果が得られる。
【０１０８】
さらに、請求項３の発明によれば、請求項２の発明において、後位の端末のフックオフが検出された後、後位の端末が電話回線と接続される前に、受信された発信電話番号の情報を後位の端末用の信号に変換して後位の端末に出力するようにしたので、発信者の電話番号を知った上で応対することができる、というさらなる効果が得られる。
【０１０９】
さらに、請求項４の発明によれば、請求項３の発明において、後位の端末をフックオフしても直ちに電話回線と接続されるのではなく、発呼者の電話番号が出力された後のフックオフ時間が一定時間を越えたときのみ電話回線と後位の端末とが接続されるため、応答したくない呼びに出ずに済むと共にデータ通信装置と後位の端末双方が呼出し信号に対応して鳴動しないこともできる、という効果が得られる。
【０１１０】
また、請求項５及び請求項６の発明によれば、起動信号が検出されてから呼出し信号が検出されるまでの間、後位の端末からの発呼が不可能であることを知らせる手段を設けたので、ヒューマンインターフェースが向上するというさらなる効果が得られる。
【０１１１】
また、請求項７の発明によれば、起動信号受信から呼出し信号受信までの間にデータ通信装置からフックオフされた場合でも、該フックオフの操作に対応した処理が禁止されるので、発着呼の衝突を回避することができる、というさらなる効果が得られる。
【図面の簡単な説明】
【図１】本発明の第１の実施の形態に係るデータ通信装置のシステム構成を示すブロック図である。
【図２】第１の実施の形態に係るデータ通信装置に備えられた電話回線インターフェース装置の詳細な構成を示すブロック図である。
【図３】第１の実施の形態に係るデータ通信装置の処理の流れを示すフローチャートである。
【図４】第２及び第３の実施の形態に係るデータ通信装置に備えられた電話回線インターフェース装置の詳細な構成を示すブロック図である。
【図５】第２の実施の形態に係るデータ通信装置の処理の流れを示すフローチャートである。
【図６】第３の実施の形態に係るデータ通信装置の処理の流れを示すフローチャートである。
【図７】第４の実施の形態に係るデータ通信装置の処理の流れを示すフローチャートである。
【図８】発信電話番号通知サービスを実施した場合の交換機と本サービスに対応している受信側端末との通信の流れを示す図であって、（ａ）は監視状態、（ｂ）はＣＡＲ信号送出、（ｃ）はＣＡＲ信号に対する１次応答信号送出、（ｄ）は発信電話情報送出、（ｅ）は発信電話情報に対する受信完了信号送出、（ｇ）はＩＲ信号送出、（ｈ）はＩＲ信号に対する２次応答信号送出、（ｉ）は通信（通話）開始の状態を各々示す図である。
【図９】発信電話番号通知サービスを実施した場合の交換機と本サービスに対応している受信側端末との通信シーケンスを示す図である。
【符号の説明】
１０    データ通信装置
１２    ＣＰＵ
１８    パネル表示部
２４    モデム
３６    電話回線インターフェース装置
３８    外付電話機
５０    第１の切替手段
５２    第２の切替手段
５４    フック検出手段
６０    信号検出手段
７１    出力装置
７２    ２４Ｖ給電回路
７３    音発生器
７５    信号発生器
【図１】
0003684732.tif 000002
【図２】
0003684732.tif 000003
【図３】
0003684732.tif 000004
【図４】
0003684732.tif 000005
【図５】
0003684732.tif 000006
【図６】
0003684732.tif 000007
【図７】
0003684732.tif 000008
【図８】
0003684732.tif 000009
【図９】
0003684732.tif 000010